(57)【要約】【課題】本発明は、固定体に対して巻回体を任意の位置に固定できるようにして、外旋の矯正でも内旋の矯正でも可能とした。【解決手段】腰に腰固定体１が巻き付けられ、外旋の矯正のときは、腰固定体１の腰の前側から側方の間に巻回体１１の一端が係止され、腰の前側から大腿の外側を経て大腿の後側へと巻回体が巻回される。内旋の矯正のときは、腰固定体１の腰の後側から側方の間に巻回体１１の一端が係止され、腰の後側から大腿の外側を経て大腿の前側へと巻回体が巻回される。肩に肩固定体６が装着され、外旋の矯正のときは、肩固定体６の肩前部から側方の間に巻回体１１の一端が係止され、肩前部から上腕部の外側を経て上腕部の後側へと巻回される。内旋の矯正のときは、肩固定体６の肩後部から側方の間に巻回体１１の一端が係止され、肩後部から上腕部の外側を経て上腕部の前側へと巻回される。【選択図】図３
2006223845.tif 000002
【特許請求の範囲】
【請求項１】
少なくとも腰の周囲に固定される固定体と、
この固定体の任意の位置に一端を着脱自在に固定され、さらに大腿に螺旋状に巻き付けられ、他端が膝または下腿部に固定される帯状の巻回体とを備えたことを特徴とする四肢矯正具。
【請求項２】
少なくとも肩前部から肩後部にかけて固定される固定体と、
この固定体の任意の位置に一端が着脱自在に固定され、さらに上腕部に螺旋状に巻き付けられ、他端が肘または前腕部に固定される帯状の巻回体とを備えたことを特徴とする四肢矯正具。
【請求項３】
上記巻回体の一端の上記固定体への固定位置は、外旋の矯正のときは、腰の前側から側方の間または肩前部から側方の間であり、内旋の矯正のときは、腰の後側から側方の間または肩後部から側方の間であることを特徴とする請求項１または２記載の四肢矯正具。
【請求項４】
上記巻回体の巻回方向は、外旋の矯正のときは、腰の前側から大腿の外側を経て大腿の後側へと螺旋状に巻回される、または肩前部から上腕部の外側を経て上腕部の後側へと螺旋状に巻回され、内旋の矯正のときは、腰の後側から大腿の外側を経て大腿の前側へと螺旋状に巻回される、または肩後部から上腕部の外側を経て上腕部の前側へと螺旋状に巻回されることを特徴とする請求項１、２または３記載の四肢矯正具。
【請求項５】
上記固定体には、少なくとも２体の巻回体の各一端が固定され、これらの巻回体の一方が大腿または上腕に螺旋状に巻回され、巻回体の他方は大腿または上腕にはほとんど巻かれず下腿または前腕に螺旋状に巻回され、これらの巻回体の一方と他方との巻き方は逆向きであることを特徴とする請求項１、２、３または４記載の四肢矯正具。
【請求項６】
上記固定体には、少なくとも２体の巻回体の各一端が固定され、一方の巻回体は上記請求項４の外旋矯正用の巻き方がなされ、他方の巻回体は上記請求項４の内旋矯正用の巻き方がなされ、これら外旋用と内旋用の巻回体はいずれかの方が長く、一方は膝または肘まで巻回され、他方は下腿または前腕まで巻回され、これにより、大腿及び上腕の矯正は行わず、下腿または前腕のみを矯正することを特徴とする請求項１、２、３、４または５記載の四肢矯正具。
【請求項７】
上記巻回体の他端は、四肢の周りを巻回して巻回体自身に固定され、下腿または前腕の骨部分にあてがわれる係止部の外側に対して、当該巻回体分が当接し、この巻回体の当接部分と係止部の外側とは摩擦が大きいことを特徴とする請求項１、２、３、４、５または６記載の四肢矯正具。
【請求項８】
上記固定体は上記巻回体の付勢に抗する方向に伸縮可能な伸縮体を有していることを特徴とする請求項１、２、３、４、５、６または７記載の四肢矯正具。
【請求項９】
膝または肘の上と下とで環状に巻回されて固定される環状巻回部と、
この上下の巻回部を繋ぐように、膝または肘に対して螺旋状に巻回される螺旋巻回部とを備えたことを特徴とする四肢矯正具。
【請求項１０】
四肢に筒状に装着される周回方向に伸縮する筒状巻回部と、
この筒状巻回部の中に螺旋状に配置され、長手方向に沿って伸縮する螺旋巻回部とを備えたことを特徴とする四肢矯正具。
【発明の詳細な説明】
【技術分野】
【０００１】
本発明は、四肢矯正具に関し、特に四肢の外旋または内旋を矯正または治療する器具に関する。
【背景技術】
【０００２】
従来、このような矯正具としては、腰の周囲に固定される固定体を延長して帯状の巻回体とし、この巻回体を大腿及び下腿等の周囲に巻き付けていた（特開平１０−２１１２２５号）。この巻回体は伸縮性があり、大腿、下腿及び膝等に対して外旋力が働き、内旋が矯正される。
【０００３】
しかしながら、このような矯正具はストッキングの外側に固定されているものであり、しかも、腰の周囲に固定される固定体と、大腿等の周囲に巻き付けられる巻回体とは一体で分離できないようになっていた。
【０００４】
したがって、この従来の矯正具では、内旋治療しかできないことになる。外旋を治療するには、巻回体の巻回方向を逆向きにした治療具ももう１つ用意しなくてはならなかった。
【特許文献１】特開平１０−２１１２２５号公報
【特許文献２】登録実用新案３０１３６９７号公報
【発明の開示】
【発明が解決しようとする課題】
【０００５】
本発明は、上述した課題を解決するためになされたものであり、本発明の目的は、１つの治療具で外旋治療も内旋治療もできる便利な四肢治療具を提供することである。
【課題を解決するための手段】
【０００６】
上記目的を達成するため、本発明の四肢矯正具は、腰の周囲に固定される固定体と、この固定体の任意の位置に一端を着脱自在に固定され、さらに大腿に螺旋状に巻き付けられ、他端が膝または下腿部に固定される帯状の巻回体とを備えた。また、本発明の四肢矯正具は、肩前部から肩後部にかけて固定される固定体と、この固定体の任意の位置に一端が着脱自在に固定され、さらに上腕部に螺旋状に巻き付けられ、他端が肘または前腕部に固定される帯状の巻回体とを備えた。
【発明の効果】
【０００７】
これにより、腰の周囲の固定体に対して、巻回体の一端を固定する位置と向きとを簡単に変更することができ、巻回体の巻回の向き／方向を外旋矯正の向きにもできるし、内旋矯正の向きにもでき、外旋も内旋も両方とも矯正／治療することができる。
【０００８】
なお、大腿は股から膝まで、下腿は膝から足首まで、上腕は肩から肘まで、前腕（小手を含む、以下同じ）は肘から手首までを指す。また、外旋矯正のときは、膝または肘を内旋させる方向に付勢し、内旋矯正のときは、膝または肘を外旋させる方向に付勢することになる。
【０００９】
外旋は、股関節、膝関節、肩関節または肘関節が正常状態より外側に向いている状態をいい、脚においてはＯ脚、外股なども場合によって含み、内旋は、股関節、膝関節、肩関節または肘関節が正常状態より内側に向いている状態をいい、脚においてはＸ脚、内股なども場合によって含む。
【発明を実施するための最良の形態】
【００１０】
（１）四肢矯正具の腰固定体１の構造
図１は分解／分離された四肢矯正具の全体を示す。腰固定体１は帯状であり、ゴム板の表裏面に布が接合固定されていて、弾性的に伸縮可能である。このゴム板はウレタン樹脂製などであり、また布もゴム板とともに収縮可能なものであり、ゴム板及び布は可撓性もある。
【００１１】
この腰固定体１の表側、つまり腰に巻いたとき外側になる側の全面は、面ファスナー布２になっていて、この面ファスナー布２は細かいループ状の突起が編み込まれていて、この微小ループは面ファスナー布２の全面に形成されている。
【００１２】
この帯状の腰固定体１の裏面、つまり腰に巻いたとき内側になる側の全面には、面ファスナーではない通常布３になっている。この裏面の一端には部分的に端面ファスナー４が縫合または接合されている。この端面ファスナー４は、多数の微小鉤、微小鈎、微小錨、微小矢印または微小キノコの微小突起を表面に備えており、上記面ファスナー布２の多数の微小ループに着脱自在に係合される。
【００１３】
したがって、この腰固定体１を腰の周囲に巻いて固定したとき、腰の太さに応じて面ファスナー４の面ファスナー布２への係合位置を任意に変更でき、腰固定体１を最適の締め付け位置／緊縮位置で腰に固定できる。また、腰固定体１の裏面は通常布３であって面ファスナーではないので、端面ファスナー４や後述する巻回体１１の基面ファスナー１２が誤って腰固定体１の裏面側に係合されてしまうことがない。
【００１４】
この腰固定体１は、真っ直ぐな帯状ではなく、やや湾曲した帯状となっている。したがって、腰のようなややテーパー状の箇所に腰固定体１を巻き付けたとき、腰固定体１の上縁と下縁とで締め付け力／緊縮力が不均一になってしまうことがなく、腰固定体１全体で均衡が取れた腰への装着が可能となる。
【００１５】
（２）四肢矯正具の肩固定体６の構造
図２は腕の矯正状態を示し、肩固定体６及び巻回体１１を示す。肩固定体６は、ほぼ三角形状のゴム板の三角形の角を切欠して、これを２枚重ねて切欠角で縫合した形状をしている。そして、この三角形の辺位置は縫合されていないので、孔状になっていて、腕、腹、他の肩と胸が挿通される。
【００１６】
この肩固定体６の表側、つまり肩に装着したとき外側になる側の全面には、面ファスナー布７になっていて、この面ファスナー布７は細かいループ状の突起が編み込まれていて、この微小ループは面ファスナー布２の全面に形成されている。
【００１７】
この肩固定体６の裏面、つまり肩に装着したとき内側になる側の全面には、面ファスナーではない通常布８になっている。肩固定体６の裏面は通常布３であって面ファスナーではないので、後述する巻回体１１の基面ファスナー１２が誤って肩固定体６の裏面側に係合されてしまうことがない。他の構造は上記腰固定体１と同じである。
【００１８】
肩固定体６の装着を右肩と左肩とで入れ換えるときには、肩固定体６の前後の向き入れ換えることになる。したがって、右肩用と左肩用とでそれぞれ肩固定体６を用意する必要がない。
【００１９】
（３）四肢保護具の巻回体１１の構造
図１の中段は巻回体１１を示す。巻回体１１は、上記腰固定体１または肩固定体６とは分離／分割されており、上記腰固定体１または肩固定体６より細い帯状であり、ゴム板の周囲を布が覆っていて、長手方向にのみ弾性的に伸縮可能である。このゴム板はゴム紐と同様のものであり、また布もゴム板とともに収縮可能なものであり、ゴム板及び布は可撓性もある。
【００２０】
この巻回体１１の一端の裏面側、つまり四肢に巻いたとき内側になる側の面には、基面ファスナー１２が縫合または接合されている。この基面ファスナー１２は、多数の微小鉤、微小鈎、微小錨、微小矢印または微小キノコの微小突起を表面に備えており、上記腰固定体１または肩固定体６の面ファスナー布２の多数の微小ループに着脱自在に係合され、巻回体１１の一端は腰固定体１または肩固定体６の任意の位置に着脱自在に固定される。
【００２１】
この巻回体１１は、四肢、つまり大腿、下腿、上腕、前腕に螺旋状に巻き付けられる。この巻回体１１の他端の表面側、つまり四肢に巻いたとき外側になる側の面には、先面ファスナー１３が縫合または接合されている。この先面ファスナー１３は、多数の微小鉤、微小鈎、微小錨、微小矢印または微小キノコの微小突起を表面に備えている。
【００２２】
また、この巻回体１１の上記一端よりのやや中側の表面側、つまり四肢に巻いたとき内側になる側の面には、中面ファスナー１４が縫合または接合されている。この中面ファスナー１４は、先面ファスナー１３の長さの２〜５倍の長さがあり、細かいループ状の突起が編み込まれていて、膝、下腿部、肘または前腕を周回／巻回して、上記先面ファスナー１３と着脱自在に係合される。これにより、巻回体１１の他端が、膝または下腿若しくは肘または前腕に固定される。
【００２３】
中面ファスナー１４の長さは、係合される先面ファスナー１３の長さの２〜５倍であるので、先面ファスナー１３は中面ファスナー１４の任意の位置に係合され、巻回体１１を巻いて固定したとき、四肢の太さに応じて先面ファスナー１３の中面ファスナー１４への係合位置を任意に変更でき、巻回体１１を最適の締め付け位置／緊縮位置で腰に固定できる。また、中面ファスナー１４は巻回体１１の裏面側には形成されていないので、先面ファスナー４が誤って巻回体１１の裏面側に係合されてしまうことがない。
【００２４】
（４）四肢保護具の巻回先端係止体２１の構造
図１の下段は巻回先端係止体２１（係止部）を示す。巻回先端係止体２１は断面「へ字状」の板状をしており、硬質樹脂製である。この巻回先端係止体２１の裏側、つまり四肢へ当接する側には、軟らかい発泡性の樹脂マット２２が接合されている。
【００２５】
この巻回先端係止体２１は、下腿または前腕の骨部分、つまり「下腿脛骨（向こうずねまたは弁慶の泣き所）」または「前腕橈骨（肘から手首までの骨の出ている部分の親指側）」にあてがわれ、四肢の周回方向に力が働いても、これら下腿脛骨または前腕橈骨に係止してずれないようになっている。
【００２６】
この巻回先端係止体２１を周回するように、上記巻回体１１の他端が四肢の周りを巻回して、上記先面ファスナー１３が上記中面ファスナー１４に係合する。したがって、巻回先端係止体２１の外側に巻回体１１の内側が当接し、しかも、巻回体１１の内側の当接部分と巻回先端係止体２１の外側面とは摩擦が大きいので、四肢に巻かれた巻回体１１が弛んでしまうことがない。
【００２７】
そして、巻回先端係止体２１は断面が「へ字状」（屋根状）になっていて中央が突出しているので、この突出部分が他の部分に比べて巻回体１１を内側から強く押し出して摩擦が特に強くなるので、さらに四肢に巻かれた巻回体１１が弛んでしまうことがない。また、巻回先端係止体２１の内側（裏側）には、軟らかい樹脂マット２２が接合されているので、下腿脛骨または前腕橈骨が痛くなることはない。
【００２８】
（５）四肢矯正具の装着
図３は外旋矯正時の腰固定体１と巻回体１１とを示し、図４は内旋矯正時の腰固定体１と巻回体１１とを示し、図２は外旋矯正時の肩固定体６と巻回体１１とを示す。四肢矯正具を装着して、外旋または内旋を矯正／治療するには、まず腰固定体１を腰の周りに環状に巻き、または肩固定体６を矯正する腕の肩側に装着し、端面ファスナー４を腰固定体１または肩固定体６の外面（表面）の面ファスナー布２に係合させる。
【００２９】
次いで、外旋を矯正／治療するときには、腰固定体１の腰の前側から側方の間または肩固定体６の肩前部から側方の間に、巻回体１１の一端の基面ファスナー１２を係合させる。そして、巻回体１１は、腰の前側から大腿の外側を経て大腿の後側さらに大腿の内側へと螺旋状に巻回され、または肩前部から上腕部の外側を経て上腕部の後側さらに上腕部の内側へと螺旋状に巻回され、これが場合によって繰り返され、１回または複数回繰り返される。
【００３０】
次いで、巻回体１１の他端を膝下、下腿または足首、若しくは肘、前腕または手首で環状に一周させ、先面ファスナー１３を中面ファスナー１４に係合させる。この場合、先面ファスナー１３は、巻回体１１の内側に入り込んで、中面ファスナー１４に内側から係合するので、巻回体１１の先端（先面ファスナー１３の側）が容易に外れず、歩行または運動そのた体を動かして、ズボンまたはスカートなどの内面が巻回体１１の先端に当たっても容易に外れない。
【００３１】
最後に、巻回体１１の他端の周回部分の中に巻回先端係止体２１を挟みこんで、下腿脛骨または前腕橈骨に当てる。この巻回先端係止体２１の装着は場合によって省略可能である。以上のことは右脚でも左脚でも同じであり、また右腕でも左腕でも同じである。
【００３２】
また、内旋を矯正／治療するときには、腰固定体１の腰の後側から側方の間または肩固定体６の肩後部から側方の間に、巻回体１１の一端の基面ファスナー１２を係合させる。そして、巻回体１１は、腰の後側から大腿の外側を経て大腿の前側さらに大腿の内側へと螺旋状に巻回され、または肩後部から上腕部の外側を経て上腕部の前側さらに上腕部の内側へと螺旋状に巻回され、これが場合によって繰り返され、１回または複数回繰り返される。
【００３３】
次いで、巻回体１１の他端を膝下、下腿または足首、若しくは肘、前腕または手首で環状に一周させ、先面ファスナー１３を中面ファスナー１４に係合させる。この場合、先面ファスナー１３は、巻回体１１の内側に入り込んで、中面ファスナー１４に内側から係合するので、巻回体１１の先端（先面ファスナー１３の側）が容易に外れず、歩行または運動そのた体を動かして、ズボンまたはスカートなどの内面が巻回体１１の先端に当たっても容易に外れない。
【００３４】
なお、図面では、わかりやすくするため、先面ファスナー１３と中面ファスナー１４との係合部分は小さくしてあるが、実際には先面ファスナー１３の全面が中面ファスナー１４に係合することになる。
【００３５】
最後に、巻回体１１の他端の周回部分の中に巻回先端係止体２１を挟みこんで、下腿脛骨または前腕橈骨に当てる。この巻回先端係止体２１の装着は場合によって省略可能である。以上のことは右脚でも左脚でも同じであり、また右腕でも左腕でも同じである。
【００３６】
こうして、同じ四肢矯正具で、巻回体１１の係合位置を変えるだけで、外旋の矯正／治療も内旋の矯正／治療も行うことができる。さらに、同じ四肢矯正具で、巻回体１１の係合位置を変えるだけで、または肩固定体６の向きを変えるだけで、右脚でも左脚でも矯正／治療できるし、右腕でも左腕でも矯正／治療できる。
【００３７】
なお、巻回体１１を固定体１、６に対して着脱できないように固定すると、外旋矯正または内旋矯正の何れか一方で、巻回体１１が股をくぐったり、脇の下をくぐったりすることになる。これでは、矯正／治療にあたり非常に不快感を与えることとなり、矯正／治療に悪影響を与えてしまう。巻回体１１の係合位置を変えることができるのは、非常に大きな効果がある。図２は外旋矯正／治療の状態を示し、内旋矯正／治療の時は巻回体１１の巻き方を反対にする。
【００３８】
（６）大腿／上腕と下腿／前腕とで逆の矯正、下腿または前腕だけの矯正
図５は大腿を矯正せず下腿のみを矯正する実施例を示す。下腿または前腕だけの矯正／治療を行うには以下の様にする。腰固定体１または肩固定体６に対して、少なくとも２体の巻回体１１の各一端の基面ファスナー１２…が固定され、一方の巻回体１１は上述の外旋矯正用の螺旋巻き方がなされ、他方の巻回体１１は上述の内旋矯正用の螺旋巻き方がなされる。
【００３９】
これら外旋用と内旋用の巻回体１１…はいずれかの方が長く、一方は膝または肘まで螺旋状に巻回され、他方は下腿または前腕まで螺旋状に巻回される。これにより、大腿及び上腕における巻回体１１…の巻回方向／矯正方向は互いに相殺され大腿及び上腕の矯正は行われない。一方、下腿または前腕については、長い方の巻回体１１の巻回力／矯正力が働き、この結果下腿または前腕のみが矯正される。
【００４０】
この図５において、２体の巻回体１１のうち、下腿／前腕まで巻き付けている方の巻回体１１の大腿／上腕だけの巻き付けはほとんど行わず、腰固定体１／肩固定体６からやや斜めまたはほぼ垂直に垂下し、膝／肘から下で螺旋状に巻回されてもよい。
【００４１】
これにより、２体の巻回体１１の一方が大腿または上腕に螺旋状に巻回され、巻回体１１の他方は大腿または上腕にはほとんど巻かれず下腿または前腕に螺旋状に巻回され、これらの巻回体１１の一方と他方との巻き方は逆向きとなる。このため、大腿／上腕が内旋していて、下腿／前腕が外旋しているというように、大腿／上腕の矯正方向と、下腿／前腕の矯正方向が互いに逆向きでも、矯正／治療を行うことができる。
【００４２】
図５の例では、長い方の巻回体１１であって腰固定体１の前側に一端が固定されている巻回体１１につき、大腿の巻回をほとんど行わず、下腿の螺旋状の巻回のみを行うと、大腿の内旋矯正及び下腿の外旋矯正を行うことができる。これらの巻回体１１それぞれの巻き方を互いに逆向きにすれば、大腿の外旋矯正及び下腿の内旋矯正を行うことができる。
【００４３】
以上の図３〜図５では、ズボンを履いた上から四肢矯正具を装着しているように示されているが、実際には下着の上などから四肢矯正具は装着される。むろん下着の下に装着してもよいし、ズボン、スカートなどの上に装着してもよい。図２も同様に、四肢矯正具は通常は下着の上に装着されるが、下着の下に装着されてもよいし、シャツや上着の上から装着されてもよい。
【００４４】
（７）腰固定体３１、３２、３３（第２、第３、第４実施例）
図６、図７、図８は、腰固定体１の別実施例である腰固定体３１、３２、３３を示す。これら腰固定体３１、３２、３３は、二本の横帯３４、３５を備えている。これら二本の横帯３４、３５は、上記巻回体１１と同じ構造であり、長手方向にのみ弾性的に伸縮可能である。この横帯３４、３５の一端の表面には端面ファスナー４が縫合または接合されており、横帯３４、３５の他端の裏面には端面ファスナー５が縫合または接合されている。
【００４５】
端面ファスナー４は、多数の微小鉤、微小鈎、微小錨、微小矢印または微小キノコの微小突起を表面に備えている。端面ファスナー５は、細かいループ状の突起が編み込まれていて、端面ファスナー４と着脱自在に係合される。
【００４６】
図６、図７、図８の実施例では、腰固定体が細くなって複数に分けられているので、腰が暑苦しくなく、腰を動かしたり捻ったり回わしたりするのが容易となる。巻回体１１は下の横帯３５に係合される。しかし、場合によって、上の横帯３４にまで係合されてもよい。
【００４７】
図６の二本の横帯３４、３５の中央を互いに繋ぐように、細長い縦帯３６が、二本の横帯３４、３５と一体に形成されている。この縦帯３６も、上記巻回体１１、横帯３４、３５と同じ構造である。
【００４８】
図６の実施例では、縦帯３６が二本の横帯３４、３５を繋いでいるので、下の横帯３５が下がってしまうのを上の横帯３４が防ぐ。特に、巻回体１１は下の横帯３５を下に引っ張ろうと付勢するが、縦帯３６はこれに抗して伸縮し、下の横帯３５の下動を防ぐ。この縦帯３６は、二本の横帯３４、３５の間に２つ以上形成されても良い。
【００４９】
図７の実施例では、二本の横帯３４、３５の中央を互いに繋ぐように、二本の斜めの斜め帯３７、３７が、二本の横帯３４、３５と一体に形成されている。この二本の斜めの斜め帯３７、３７は、上の横帯３４では離間して２箇所で繋がり、下の横帯３５では合流して１箇所で繋がっていて、Ｖ字状になっている。この二本の斜めの斜め帯３７、３７も、上記巻回体１１、横帯３４、３５と同じ構造である。
【００５０】
図７の実施例では、巻回体１１は下の横帯３５を斜め下に引っ張ろうと付勢するが、斜め帯３７、３７は、これに抗して伸縮し、巻回体１１を巻き上げるとともに、下の横帯３５の下動を防ぐ。また、二本の斜め帯３７、３７が二本の横帯３４、３５を繋いでいるので、下の横帯３５が下がってしまうのを上の横帯３４が防ぐ。
【００５１】
また、巻回体１１の巻回の向きが逆向きにされても、上記抗力が一方の斜め帯３７から他方の斜め帯３７に受け渡されて、同様の効果が発揮される。この斜め帯３７、３７は、二本の横帯３４、３５の間に２つ以上形成されても良く、∧型、Ｗ型、Ｎ型に配置されてもよいし、上記縦帯３６と組み合わされて配置されてもよい。
【００５２】
図８の実施例では、二本の横帯３４、３５の中央を互いに繋ぐように、二本の斜めで互いに交差する交差帯３８、３８が、二本の横帯３４、３５と一体に形成されている。この二本の斜め交差の交差帯３８、３８は、上の横帯３４及び下の横帯３５では互いに離間して２箇所で繋がっていて、Ｘ字状になっている。この二本の斜めの交差帯３８、３８も、上記巻回体１１、横帯３４、３５と同じ構造である。
【００５３】
図８の実施例では、巻回体１１は下の横帯３５を斜め下に引っ張ろうと付勢するが、交差帯３８、３８は、これに抗して伸縮し、巻回体１１を巻き上げるとともに、下の横帯３５の下動を防ぐ。しかも、交差帯３８、３８は互いに交差しているので、一方が上述のように引っ張られるのを他方が引き止める働きをする。また、二本の交差帯３８、３８が二本の横帯３４、３５を繋いでいるので、下の横帯３５が下がってしまうのを上の横帯３４が防ぐ。
【００５４】
また、巻回体１１の巻回の向きが逆向きにされても、上記抗力が一方の交差帯３８から他方の交差帯３８に受け渡されて、同様の効果が発揮される。この交差帯３８、３８は、二本の横帯３４、３５の間に２つ以上形成されても良く、上記縦帯３６及び／または斜め帯３７と組み合わされて配置されてもよい。
【００５５】
図６、図７、図８のように、複数の横帯３４、３５を互いに繋ぐように、縦帯３６…、斜め帯３７、３７、交差帯３８、３８が形成されれば、図５などに示すように、複数の巻回体１１…を互いに逆向きに巻回しても、それぞれの巻回体１１…の牽引力を向きの違う斜め帯３７、３７、交差帯３８、３８でそれぞれ分担して受け止めることができる。
【００５６】
このような腰固定体３１、３２、３３には上記巻回体１１が係合して使用されても良いし、巻回体１１と係合使用されなくてもよい。本件実施例における他の構成・作用は、上記図１乃至図５の実施例と同じであり、説明を省略する。
【００５７】
（８）巻回体４１（第５実施例）
図９、図１０及び図１１は、上記巻回体１１の別実施例である巻回体４１を示し、膝または肘に環状または／及び螺旋状に巻き付けられる。この巻回体４１の一端の表面側であって膝・肘に巻いたとき外側になる側の面には、先面ファスナー１３が縫合または接合されている。
【００５８】
また、巻回体４１の他端の裏面側であって膝・肘に巻いたとき外側になる側の面には、先面ファスナー１５が縫合または接合されている。この先面ファスナー１３、１５は、多数の微小鉤、微小鈎、微小錨、微小矢印または微小キノコの微小突起を表面に備えている。
【００５９】
また、この巻回体４１の上記一端よりのやや中側の裏面側であって膝・肘に巻いたとき内側になる側の面には、中面ファスナー１４が縫合または接合されている。さらに、この巻回体４１の上記他端よりのやや中側の表面側であって膝・肘に巻いたとき内側になる側の面には、中面ファスナー１６が縫合または接合されている。
【００６０】
上記中面ファスナー１４は、上記先面ファスナー１３の長さの２〜５倍の長さがあり、細かいループ状の突起が編み込まれていて、膝、下腿部、肘または前腕を環状に周回／巻回して、上記先面ファスナー１３と着脱自在に係合される。また中面ファスナー１６は、上記先面ファスナー１５の長さの２〜５倍の長さがあり、細かいループ状の突起が編み込まれていて、膝、下腿部、肘または前腕を環状に周回／巻回して、上記先面ファスナー１５と着脱自在に係合される。
【００６１】
上記先面ファスナー１３から中面ファスナー１４へかけての巻回体４１の部分、上記先面ファスナー１５から中面ファスナー１６へかけての巻回体４１の部分は、環状巻回部１７、１７となる。また、中面ファスナー１４から中面ファスナー１６へかけての巻回体４１の部分は、螺旋巻回部１８となる。
【００６２】
図１０及び図１１は、巻回体４１を膝の上から下へかけて巻き付けた状態を示す。先面ファスナー１３と中面ファスナー１４とで形成される環状巻回部１７は膝の上で巻回され、先面ファスナー１５と中面ファスナー１６とで形成される環状巻回部１７は膝の下で巻回される。これら膝の上下の環状巻回部１７、１７は上下入れ換わってもよい。
【００６３】
そして、中面ファスナー１４と中面ファスナー１６との間の部分であって、上記環状巻回部１７、１７を繋ぐ螺旋巻回部１８は、膝に対して斜め当たって螺旋状に巻回され、膝を外旋方向に付勢して内旋を矯正したり、または内旋方向に付勢して外旋を矯正したりする。
【００６４】
この外旋矯正と内旋矯正とを切り換えるには、図１０と図１１との間の切り換えに示すように、巻回体４１の向きを上下反転させて、巻回体４１の螺旋・環状の巻回方向を右回りから左回りへ切り換える、または左回りから右回りへ切り換える。したがって、１つの巻回体４１で巻回方向を切り換えるだけで、外旋矯正と内旋矯正との両方の矯正を行うことができる。
【００６５】
中面ファスナー１４、１６の長さは、係合される先面ファスナー１３、１５の長さの２〜５倍であるので、先面ファスナー１３、１５は中面ファスナー１４、１６の任意の位置に係合され、巻回体４１を巻いて固定したとき、膝・肘の太さに応じて先面ファスナー１３、１５の中面ファスナー１４、１６への係合位置を任意に変更でき、巻回体４１を最適の締め付け位置／緊縮位置で腰に固定できる。
【００６６】
また、中面ファスナー１４、１６は先面ファスナー１３、１５と係合できる面に形成されていて、反対側の面には形成されていないので、巻回体４１の巻き付け方向を裏表逆にしてしまうことがないし、先面ファスナー１３が誤って中面ファスナー１６に係合されてしまうことがなく、先面ファスナー１５が誤って中面ファスナー１４に係合されてしまうこともない。
【００６７】
このような巻回体４１には上記巻回体１１が連結して使用されても良いし、巻回体１１と連結使用されなくてもよい。本件実施例における他の構成・作用は、上記図１乃至図８の実施例と同じであり、説明を省略する。
【００６８】
（９）巻回体４１（第６実施例）
図１２は、上記巻回体１１、４１の別実施例である筒状巻回体４６を示し、膝または肘に筒状に装着される。この筒状巻回体４６は筒状で、周回方向に沿って伸縮可能なように織られるなどされて構成されており、サポーターと同様の構造となっている。
【００６９】
この筒状の筒状巻回体４６は螺旋状に切断され、この切断縁４８が互いに離間され、この切断縁４８、４８の間に螺旋帯４７が配置されて、当該切断縁４８、４８と螺旋帯４７の両側縁とが縫合される。この螺旋帯４７は、上記巻回１１、４１、腰固定体３１、３２、３３、横帯３４、３５、縦帯（伸縮体）３６、斜め帯（伸縮体）３７、交差帯（伸縮体）３８と同じ構造であり、長手方向にのみ弾性的に伸縮可能である。
【００７０】
この筒状の筒状巻回体４６の中を、膝、肘、大腿、下腿、上腕、前腕などを通して装着固定すると、螺旋帯４７が、膝、肘、大腿、下腿、上腕、前腕に対して斜め当たって螺旋状に収縮する力が加えられ、膝、肘、大腿、下腿、上腕、前腕を外旋方向に付勢して内旋を矯正したり、または内旋方向に付勢して外旋を矯正したりする。
【００７１】
この外旋矯正と内旋矯正とを切り換えるには、筒状巻回体４６を裏返して、螺旋帯４７の螺旋の巻回方向を右回りから左回りへ切り換える、または左回りから右回りへ切り換える。したがって、１つの筒状巻回体４６を裏返して装着するだけで、外旋矯正と内旋矯正との両方の矯正を行うことができる。
【００７２】
このような筒状巻回体４６には上記巻回体１１が連結して使用されても良いし、巻回体１１と連結使用されなくてもよい。本件実施例における他の構成・作用は、上記図１乃至図１１の実施例と同じであり、説明を省略する。
【００７３】
なお、この筒状巻回体４６の中もしくは上縁または下縁に、環状巻回部１７、１７と同じものが縫合／接合されてもよい。この環状巻回部１７、１７は、上記螺旋帯４７に一体的に繋がる。また、筒状巻回体４６は、網状、すだれ状など隙間が形成されていてもよい。
【００７４】
（１０）他の実施の形態
本発明は、上記実施例に限定されず、種々変更可能である。例えば、横帯３４、３５の数は３つ以上でもよく、この場合、各横帯３４、３５…のそれぞれの間に、縦帯３６…、斜め帯３７、３７…、交差帯３８、３８…が形成され、腰固定体３１、３２、３３は、他に網状、すだれ状などであってもよい。
【００７５】
図６、図７、図８に示すような腰固定体３１、３２、３３はそのまま上記肩固定体６として転用することもできる。この場合、左右端における端面ファスナー４と端面ファスナー５との間隔を同じではなく、左右で若干間隔を異ならせることになる。そして、この腰固定体３１、３２、３３を右肩から左わき腹へかけて巻回固定する、または左肩から右わき腹へかけて巻回固定することになる。
【００７６】
上記螺旋巻回部１８は、膝または肘を螺旋状に半周ほどする長さであるが、螺旋巻回部１８が長ければ、半周以上、一周または一周以上、膝または肘を螺旋状に巻回させることができる。
【００７７】
上記図１２の筒状巻回体４６の螺旋帯４７は、四肢を螺旋状に半周ほどする長さであるが、切断縁４８の傾斜角を低くして、螺旋帯４７を長くすれば、半周以上、一周または一周以上、四肢を螺旋状に巻回させることができる。
【００７８】
また、上記図１２の筒状巻回体４６の上下の長さ、長手方向の長さは、もっと長くてもよく、例えば、大腿から下腿まで覆う長さでも良いし、上腕から前腕まで覆う長さでも良く、螺旋帯４７も長くなり、半周以上、一周または一周以上、四肢を螺旋状に巻回する。この場合、筒状巻回体４６はさらに延出されて、腰から臀部まで覆うタイツのような構造となってもよいし、肩から胸部及び／または背中まで覆うティーシャツのような構造となってもよい。
【００７９】
さらに、腰固定体１は、帯状のほか、腹巻き状、肩まであるシャツ状など、巻回体１１を係合できればどのような形状でもよい。また肩固定体６も、三角形状のほか、たすき状、両肩まであるティーシャツ状など、巻回体１１を係合できればどのような形状でもよい。
【００８０】
また、巻回体１１の巻回回数は１回でも複数回でも良いし、巻回ピッチも任意であり、巻回体１１の巻回ピッチ間に隙間のないピッチで巻回されてもよい。巻回体１１の形状は帯状であるが、ホース状、リボン状、紐状等でもよい。
【００８１】
さらに、巻回体１１の他端の固定、巻回体１１の固定体１、６への着脱自在の固定は、面ファスナーのほか、紐などの縛り付け、フックとホック、ボタンとボタンホール、面磁石など、着脱できればどのような固定であってもよい。巻回体１１の他端は予め伸縮自在のリング状になっていて、このリングが下腿または前腕に挿通されて回転されて、巻回体１１が巻回されるようにしてもよい。この場合、巻回先端係止体２１は、このリングの内側に予め固着されていてもよい。
【００８２】
上記巻回体１１の他端の先の内側（裏側）には突起が設けられ、この突起が上記巻回先端係止体２１の側縁に当接してもよい。これにより、巻回体１１の端が巻回先端係止体２１の側縁に引っかかり、巻回体１１の巻回が弛むことがなくなる。
【００８３】
上記巻回体１１の巻回を膝または肘までに止めれば、矯正／治療を大腿または上腕だけに止めることができる。また、巻回体１１の巻回を足首または手首までに延長すれば、矯正／治療を大腿及び下腿または上腕及び前腕まで広げることができる。そして上述のように、下腿または前腕だけの矯正／治療も可能である。
【００８４】
上記巻回先端係止体２１があてがわれる場所は、「下腿脛骨」及び「前腕橈骨」に限られず、膝蓋骨（おさら）、肘関節部分、前腕尺骨（前腕の小指側）の各部分や、筋肉部分で係止し易い場所など、巻回先端係止体２１が動きにくい場所であれば、どのような場所でもよい。
【００８５】
また、下腿／前腕だけの矯正では、膝／肘に上記腰固定体１または肩固定体６と同様の固定体を巻き付け、膝／肘から先／下だけに巻回体１１を巻き付けてもよい。しかし、腰／肩から巻回体１１が伸びている方が、脚／腕全体としてバランスのとれた矯正／治療を行うことができる。
【００８６】
（１１）他の発明の効果
［１］少なくとも腰の周囲に固定される固定体と、この固定体の任意の位置に一端を着脱自在に固定され、さらに大腿に螺旋状に巻き付けられ、他端が膝または下腿部に固定される帯状の巻回体とを備えたことを特徴とする四肢矯正具。これにより、固定体へ巻回体を固定する位置を任意に変更でき、四肢の矯正／治療の状況の変化に対応できる。
【００８７】
［２］少なくとも肩前部から肩後部にかけて固定される固定体と、この固定体の任意の位置に一端が着脱自在に固定され、さらに上腕部に螺旋状に巻き付けられ、他端が肘または前腕部に固定される帯状の巻回体とを備えたことを特徴とする四肢矯正具。これにより、固定体へ巻回体を固定する位置を任意に変更でき、四肢の矯正／治療の状況の変化に対応できる。
【００８８】
［３］上記巻回体の一端の上記固定体への固定位置は、外旋の矯正のときは、腰の前側から側方の間または肩前部から側方の間であり、内旋の矯正のときは、腰の後側から側方の間または肩後部から側方の間であることを特徴とする請求項１または２記載の四肢矯正具。これにより、固定体への巻回体の固定位置を変更するだけで、外旋の矯正／治療も内旋の矯正／治療もできる。
【００８９】
［４］上記巻回体の巻回方向は、外旋の矯正のときは、腰の前側から大腿の外側を経て大腿の後側へと螺旋状に巻回される、または肩前部から上腕部の外側を経て上腕部の後側へと螺旋状に巻回され、内旋の矯正のときは、腰の後側から大腿の外側を経て大腿の前側へと螺旋状に巻回される、または肩後部から上腕部の外側を経て上腕部の前側へと螺旋状に巻回されることを特徴とする請求項１、２または３記載の四肢矯正具。これにより、固定体及び巻回体をそのまま使って、巻回体の巻回方向を変更するだけで外旋の矯正／治療も内旋の矯正／治療もできる。
【００９０】
［５］上記固定体には、少なくとも２体の巻回体の各一端が固定され、これらの巻回体の一方が大腿または上腕に螺旋状に巻回され、巻回体の他方は大腿または上腕にはほとんど巻かれず下腿または前腕に螺旋状に巻回され、これらの巻回体の一方と他方との巻き方は逆向きであることを特徴とする請求項１、２、３または４記載の四肢矯正具。これにより、大腿／上腕が内旋していて、下腿／前腕が外旋しているというように、大腿／上腕の矯正方向と、下腿／前腕の矯正方向が互いに逆向きでも、矯正／治療を行うことができる。
【００９１】
［６］上記固定体には、少なくとも２体の巻回体の各一端が固定され、一方の巻回体は上記請求項４の外旋矯正用の巻き方がなされ、他方の巻回体は上記請求項４の内旋矯正用の巻き方がなされ、これら外旋用と内旋用の巻回体はいずれかの方が長く、一方は膝または肘まで巻回され、他方は下腿または前腕まで巻回され、これにより、大腿及び上腕の矯正は行わず、下腿または前腕のみを矯正することを特徴とする請求項１、２、３、４または５記載の四肢矯正具。これにより、大腿及び上腕は矯正／治療せずに、下腿及び前腕だけを治療／矯正できる。
【００９２】
［７］上記巻回体の他端は、四肢の周りを巻回して巻回体自身に固定され、下腿または前腕の骨部分にあてがわれる係止部の外側に対して、当該巻回体分が当接し、この巻回体の当接部分と係止部の外側とは摩擦が大きいことを特徴とする請求項１、２、３、４、５または６記載の四肢矯正具。これにより、巻回体が弛むことがなく、外旋または内旋の矯正／治療を持続することができる。
【００９３】
[８]上記固定体は上記巻回体の付勢に抗する方向に伸縮可能な伸縮体を有していることを特徴とする請求項１、２、３、４、５、６または７記載の四肢矯正具。これにより、巻回体の付勢を受け止めて固定体が下方向や螺旋方向にずれてしまうのを防止できる。
【００９４】
[９]膝または肘の上と下とで環状に巻回されて固定される環状巻回部と、この上下の巻回部を繋ぐように、膝または肘に対して螺旋状に巻回される螺旋巻回部とを備えたことを特徴とする四肢矯正具。これにより、膝または肘などの関節部分だけに集中して外旋矯正または内旋矯正を行うことができる。また巻き方を逆向きに変えるだけで、外旋矯正と内旋矯正とを切り換えることができる。
【００９５】
[１０]四肢に筒状に装着される周回方向に伸縮する筒状巻回部と、  この筒状巻回部の中に螺旋状に配置され、長手方向に沿って伸縮する螺旋巻回部とを備えたことを特徴とする四肢矯正具。これにより、四肢の特定箇所だけに集中して外旋矯正または内旋矯正を行うことができる。また、この筒状巻回部を裏返すだけで、外旋矯正と内旋矯正とを切り換えることができる。
【産業上の利用可能性】
【００９６】
本発明は、固定体に対して巻回体を任意の位置に固定できるようにして、外旋の矯正でも内旋の矯正でも可能とした。腰に腰固定体１が巻き付けられ、外旋の矯正のときは、腰固定体１の腰の前側から側方の間に巻回体１１の一端が係止され、腰の前側から大腿の外側を経て大腿の後側へと巻回体が巻回される。内旋の矯正のときは、腰固定体１の腰の後側から側方の間に巻回体１１の一端が係止され、腰の後側から大腿の外側を経て大腿の前側へと巻回体が巻回される。
【００９７】
肩に肩固定体６が装着され、外旋の矯正のときは、肩固定体６の肩前部から側方の間に巻回体１１の一端が係止され、肩前部から上腕部の外側を経て上腕部の後側へと巻回される。内旋の矯正のときは、肩固定体６の肩後部から側方の間に巻回体１１の一端が係止され、肩後部から上腕部の外側を経て上腕部の前側へと巻回される。
【図面の簡単な説明】
【００９８】
【図１】四肢矯正具の分解／分離の状態を示す。
【図２】肩固定体６と巻回体１１（外旋矯正時）とを示す。
【図３】腰固定体１と巻回体１１（外旋矯正時）とを示す。
【図４】腰固定体１と巻回体１１（内旋矯正時）とを示す。
【図５】大腿と下腿とで逆の矯正をする、または大腿は矯正せず下腿のみを矯正する実施例を示す。
【図６】腰固定体１の別実施例である腰固定体３１（第２実施例）を示す。
【図７】腰固定体１の別実施例である腰固定体３２（第３実施例）を示す。
【図８】腰固定体１の別実施例である腰固定体３３（第４実施例）を示す。
【図９】巻回体１１の別実施例である巻回体４１（第５実施例）を示す。
【図１０】巻回体４１（第５実施例）の装着状態を示す。
【図１１】図１０とは逆向に巻き付けた巻回体４１（第５実施例）の装着状態を示す。
【図１２】巻回体１１、４１の別実施例である筒状巻回体４６（第６実施例）を示す。
【符号の説明】
【００９９】
１…腰固定体、２…面ファスナー布、
３…通常布、４…端面ファスナー、５…端面ファスナー、
６…肩固定体、７…面ファスナー布、８…通常布、
１１…巻回体、１２…基面ファスナー、
１３、１５…先面ファスナー、１４、１６…中面ファスナー、
１７…環状巻回部、１８…螺旋巻回部、
２１…巻回先端係止体（係止部）、２２…樹脂マット、
３１、３２、３３…腰固定体、３４、３５…横帯、
３６…縦帯（伸縮体）、３７…斜め帯（伸縮体）、
３８…交差帯（伸縮体）、４１…巻回体、４８…切断縁、
４６…筒状巻回体（筒状巻回部）、４７…螺旋帯（螺旋巻回部）。
【図１】
2006223845.tif 000003
【図２】
2006223845.tif 000004
【図３】
2006223845.tif 000005
【図４】
2006223845.tif 000006
【図５】
2006223845.tif 000007
【図６】
2006223845.tif 000008
【図７】
2006223845.tif 000009
【図８】
2006223845.tif 000010
【図９】
2006223845.tif 000011
【図１０】
2006223845.tif 000012
【図１１】
2006223845.tif 000013
【図１２】
2006223845.tif 000014